(57)【要約】【課題】従来のスライド可能なキャリアにおいては、支持レールに対して下側挟持レールと上側挟持レールが一体にスライドするものであるため、スライド部分の重量が大きく、作業に支障を生ずると共に、下側挟持レールを支持レールに固定するためのロック手段の構成が複雑となる欠点があった。【解決手段】本発明のスライド可能なキャリアにおいては、車輌の屋根等に固定される支持レールの基端に上側挟持レールの基端を回動自在に枢支せしめ、上記支持レール上を下側挟持レールのみがスライド自在なならしめ、下側挟持レールをロック手段により上記支持レールに固定せしめる。上記ロック手段は、上記下側挟持レールに上下動自在に取り付けた垂杆と、この垂杆の下部から下方に突出せしめた爪部とにより構成し、上部爪部を受容する孔を上記支持レールの上面に形成する。【選択図】  図３
2004161088.tif 000002
【特許請求の範囲】
【請求項１】
車輌の屋根等に固定される支持レールと、この支持レールの基端にその基端を回動自在に枢支せしめた上側挟持レールと、上記支持レール上をスライド自在な下側挟持レールと、この下側挟持レールを上記支持レールに固定するロック手段とより成ることを特徴とするスライド可能なキャリア。
【請求項２】
上記ロック手段が、上記下側挟持レールに上下動自在に取り付けた垂杆と、この垂杆の下部から下方に突出せしめた爪部とより成り、上部爪部を受容する孔が上記支持レールの上面に形成されていることを特徴とする請求項１記載のスライド可能なキャリア。
【発明の詳細な説明】
【０００１】
【発明の属する技術分野】
本発明はスライド可能なキャリア、特に、スキー、スノーボード、サーフィンボード等を運搬するスライド可能なキャリアに関するものである。
【０００２】
【従来の技術】
図５は従来の例えば実用新案登録第３０７１４１９号公報に示す車用キャリアを示し、１は下側挟持レール、２はこのレール１の上面に取り付けたゴム輪郭、３は上記下側挟持レール１の支持レール、４は上記下側挟持レール１の基端に取り付けた枢支部材、５はこの枢支部材４にその基端を回動自在に枢支した上側挟持レール、６はこのレール５の下面に取り付けたゴム輪郭、７は上記上側挟持レール５の遊端に取り付けたカバー、８はこのカバー７に取り付けたロック解除用プッシュボタン、９は車輌の屋根、１０は上記支持レール３を支持するため上記屋根９に固定したキャリアバーであって、上記下側挟持レール１が上側挟持レール５と共に上記支持レール３上をスライドできるようにされている。このため下側挟持レール１と上側挟持レール５とを車輌の屋根の一側に引き出してこれにスキー等の荷物を乗せた後車輌の屋根の中央部に引き戻して固定できるため荷物の積み上げ、積み下しが便利となっている。
【０００３】
【発明が解決しようとする課題】
然しながら上記従来既知のものでは支持レール３に対して下側挟持レール１と上側挟持レール５が枢支部材４と共に一体にスライドするものであるため、スライド部分の重量が大きく、作業に支障を生ずると共に、下側及び上側挟持レールを引き出している状態で誤って下側挟持レール１と上側挟持レール５が閉じられ、ロックされたときは、下側挟持レール１を支持レール３に固定するためのロック手段を操作できなくなるため下側挟持レール１が支持レール３上でフリーと成り危険である。従ってこの欠点を除くため、上記下側及び上側挟持レールが引き出された状態では誤って上記下側及び上側挟持レールが互いに閉じられるのを阻止する手段を設ける必要があり、その構造が複雑でコスト高となる欠点があった。
【０００４】
本発明は上記の欠点を除くようにしたものである。
【０００５】
【課題を解決するための手段】
本発明のスライド可能なキャリアは、車輌の屋根等に固定される支持レールと、この支持レールの基端にその基端を回動自在に枢支せしめた上側挟持レールと、上記支持レール上をスライド自在な下側挟持レールと、この下側挟持レールを上記支持レールに固定するロック手段とより成ることを特徴とする。
【０００６】
上記ロック手段は、上記下側挟持レールに上下動自在に取り付けた垂杆と、この垂杆の下部から下方に突出せしめた爪部とより成り、上部爪部を受容する孔が上記支持レールの上面に形成されていることを特徴とする。
【０００７】
【発明の実施の形態】
以下図面によって本発明の実施例を説明する。
【０００８】
図において図５と同一部分には同一符号を付し、その説明は省略する。
【０００９】
本発明においては図１及び図２に示すように支持レール３の基端に枢支部材４を取り付け、この枢支部材４に上側挟持レール５の基部を回動自在に取り付け、図３に示すように上記下側挟持レール１のみが上記支持レール３上でスライド自在ならしめる。
【００１０】
また、図１及び図３に示すように上記下側挟持レール１の外端部に下側挟持レール１を上記支持レール３にロックするためのロック手段１１を設ける。このロック手段１１は、上記下側挟持レール１の外端部両側面に固定した側板１２と、この側板１２に上下方向に延びるよう設けた長孔１３と、上記両側板１２間で上下方向にスライド自在に介挿した垂杆１４と、この垂杆１４の上部内面に形成した指掛け用のくぼみ１５と、上記垂杆１４の下面に突設した断面３角形状の爪部１６と、上記垂杆１４の両側面から水平方向外方に突出せしめ、上記長孔１３に係合せしめた係合ピン１７と、上記垂杆１４を常時上記下側挟持レール１と相対的に下方に抑制するばね（図示せず）とにより構成する。
【００１１】
また、図４に示すように上記爪部１６が嵌入される形状の角孔１８を上記支持レール３の上面に形成し、上記支持レール３上で上記下側挟持レール１を正規の格納位置にスライドせしめたとき、上記角孔１８に上記爪部１６が落ち込み、両者がロックされるようにする。
【００１２】
本発明のスライド可能なキャリアは上記のような構成であるから上側挟持レール５をそのままにして下側挟持レール１のみを支持レール３に相対的に屋根９の側方にスライドして荷物の積み上げ、積み下しを行なうことができるためその作業が容易となり、この状態では上側挟持レール５のカバー７は下側挟持レール１の外端部から離れた位置となっているため下側挟持レール１と上側挟持レール５が誤って閉じられることがない。
【００１３】
また、下側挟持レール１を支持レール３に相対的にスライドして復元するときは、支持レール３の端部を爪部１６が乗り上げ、上記角孔１８に合致した地点でばねの作用で押し下げられこれに嵌入されるから両者のロックが自動的に達成されるようになる。
【００１４】
なお、このロック状態において上記垂杆１４のくぼみ１５に指を掛けて垂杆１４をばねに抗して上方に持ち上げて上記爪部１６を上記角孔１８から離脱せしめれば上記ロックを簡単容易に解除することができる。
【００１５】
なお、上側及び下側挟持レールが閉じられている状態では図２に示すように上記ロック手段１１が上側挟持レール５に取り付けられたカバー７によって囲まれ、みだりにロック手段１１を操作することはできないようになる。
【００１６】
【発明の効果】
上記のように本発明のスライド可能なキャリアによれば、下側挟持レールのみを支持レールに相対的にスライドし、引き出せるのでスライド部分が軽量となり作業の利便性を図ることができると共に、簡単な構成のロック手段によって確実にスライド部分をロックでき、そのコストを低下できるようになる大きな利益がある。
【図面の簡単な説明】
【図１】本発明のスライド可能なキャリアの側面図である。
【図２】図１に示すスライド可能なキャリアを閉じた状態の側面図である。
【図３】本発明のスライド可能なキャリアの使用状態を示す側面図である。
【図４】図３に示すスライド可能なキャリアの要部の底面図である。
【図５】従来のスライド可能なキャリアの斜視図である。
【符号の説明】
１  下側挟持レール
２  ゴム輪郭
３  支持レール
４  枢支部材
５  上側挟持レール
６  ゴム輪郭
７  カバー
８  ロック解除用プッシュボタン
９  屋根
１０  キャリアバー
１１  ロック手段
１２  側板
１３  長孔
１４  垂杆
１５  くぼみ
１６  爪部
１７  係合ピン
１８  角孔
【図１】
2004161088.tif 000003
【図２】
2004161088.tif 000004
【図３】
2004161088.tif 000005
【図４】
2004161088.tif 000006
【図５】
2004161088.tif 000007